(57)【要約】【課題】薄型かつ軽量化で簡単に取り扱うことができ、しかもスタイリッシュな外観を呈するハンディアンテナ、該ハンディアンテナを備えた棚卸装置、該棚卸装置を備えた棚卸システム及び棚卸方法を提供する。【解決手段】ハンディアンテナ１は、無線通信に用いられるハンディアンテナであって、アンテナ部１１と該アンテナ部１１の縁に設けられた持ち手部１２とを備え、アンテナ部１１は、薄板状のアンテナ本体１１１と二つの基板部１１２、１１３とを備え、アンテナ本体１１１は、二つの基板部１１２、１１３の間で狭着状態に保持されていることを特徴とする。【選択図】図２
2015023457.tif 000002
【特許請求の範囲】
【請求項１】
無線通信に用いられるハンディアンテナであって、
前記ハンディアンテナは、アンテナ部と該アンテナ部の縁に設けられた持ち手部とを備え、
前記アンテナ部は、薄板状のアンテナ本体と二つの基板部とを備え、
前記アンテナ本体は、二つの前記基板部の間で狭着状態に保持されていることを特徴とするハンディアンテナ。
【請求項２】
前記基板部は、透明または半透明の素材からなる請求項１に記載のハンディアンテナ。
【請求項３】
前記基板部は、ＰＥＴ樹脂からなる請求項１または請求項２に記載のハンディアンテナ。
【請求項４】
前記基板部は、前記持ち手部に連なる縁部において、前記持ち手部から前記アンテナ本体に向かう方向に延びる突条が形成されている請求項１ないし請求項３のいずれかに記載のハンディアンテナ。
【請求項５】
前記アンテナ本体は、前記アンテナ部の中心より前記持ち手部に近い位置に重心を有する請求項１ないし請求項４のいずれかに記載のハンディアンテナ。
【請求項６】
請求項１ないし５のいずれかに記載のハンディアンテナと、該ハンディアンテナに有線又は無線で接続され、前記ハンディアンテナに読み取り及び／又は書き込み指示を行うリーダライタ装置とを備えた棚卸装置。
【請求項７】
請求項６に記載の棚卸装置と、該棚卸装置のリーダライタ装置と通信可能に接続されたホストコンピュータと、商品に付されたタグとからなり、
前記タグに記録されたタグデータを前記ハンディアンテナを介して前記棚卸装置のリーダライタ装置が読み取り及び／又は書き込みし、該リーダライタ装置で読み取ったタグデータを前記ホストコンピュータが蓄積することを特徴とする棚卸システム。
【請求項８】
請求項７に記載の棚卸システムを用いた棚卸方法であって、
タグに記録されたタグデータを請求項７に記載の棚卸装置のリーダライタ装置で読み取り及び／又は書き込みし、該リーダライタ装置で読み取ったタグデータをホストコンピュータが蓄積することを特徴とする棚卸方法。
【発明の詳細な説明】
【技術分野】
【０００１】
本発明は、ハンディアンテナ、該ハンディアンテナを備えた棚卸装置、該棚卸装置を備えた棚卸システム及び棚卸方法に関するものである。
【背景技術】
【０００２】
従来、服飾業界の店舗においては、商品（被服）は、陳列棚に重ねた状態、あるいは水平方向に延びたパイプにハンガーで横並びに吊り下げられた状態で展示されている。このように展示された商品は、商品を手に取った顧客が商品を元の位置に戻さないことが多い上に、サイズ以外は同一の商品が複数存在するなど各商品の見分けがつきにくいため、棚卸の際の商品在庫を数えるなどの管理作業が煩雑であった。
【０００３】
このような作業を簡単にするため、棚卸システム、例えば、ＲＦＩＤ（Radio  Frequency Identification）システムが導入されている。このＲＦＩＤシステムは、管理対象物品に付されるＲＦＩＤタグと、ＲＦＩＤタグのタグデータを読み書きする棚卸装置と、棚卸装置から送信されたタグデータを蓄積するホストコンピュータとからなる。棚卸装置は、ＲＦＩＤタグのＩＣチップ内のメモリから情報を非接触で読み取るとともに、該ＲＦＩＤタグのＩＣチップ内のメモリに情報を非接触で書き込む持ち運び可能なアンテナ（以下、ハンディアンテナと称す。）と、該ハンディアンテナに読み取り及び書き込み指示を行うＲＦＩＤタグリーダーライターとからなる。このような棚卸装置として、特許文献１〜３のような棚卸装置があった。
【０００４】
特許文献１の棚卸装置は、略矩形のアンテナ筺体と、該アンテナ筺体に収納されるパッチアンテナとを備え、アンテナ筺体の標識部でのみＲＦＩＤタグの通信が可能であるとともに、送信出力を調整することで、例えば数メートル離れた距離に放射された電波が届くようなアンテナ利得を有するように構成されたハンディアンテナを備える。
【０００５】
特許文献２の棚卸装置は、略矩形のアンテナ筺体と、該アンテナ筺体に収納される複合アンテナとを備え、複合アンテナは、第一の放射素子と、第二の放射素子と、地導体と、第一の誘電体層と、第二の誘電体層とを有するハンディアンテナを備える。
【０００６】
特許文献３の棚卸装置は、ループアンテナからなるアンテナ本体を板状の保護ケースに収納してアンテナ頭部を構成し、これをアンテナ支持棒の一端にアンテナ角度調節器を介して連結した構造となったハンディアンテナを備える。
【先行技術文献】
【特許文献】
【０００７】
【特許文献１】特開２０１１−６６４９４号
【特許文献２】特開２０１１−６６４９５号
【特許文献３】特開２００４−１８７０４８号
【発明の概要】
【発明が解決しようとする課題】
【０００８】
しかしながら、従来の棚卸装置は、いずれもアンテナ本体を筺体又はケースに収納する構造であるため、ハンディアンテナの厚みが大きくなり、使用者がハンディアンテナを取り扱いにくなったり、狭小な空間にハンディアンテナを差し入れることが困難であるという問題があった。また、いずれの棚卸装置も、アンテナ本体を筺体又はケースに固定治具等で固定する構造であるため、ハンディアンテナが重くなり、使用者がハンディアンテナを取り扱う際に負担となるという問題があった。さらに、いずれの棚卸装置も、アンテナ本体を筺体又はケースに収納する構造であるため、ハンディアンテナの呈する外観が平凡であった。
【０００９】
本発明は、上述の問題に鑑みてなされたものであって、薄型かつ軽量化で簡単に取り扱うことができ、しかもスタイリッシュな外観を呈するハンディアンテナ、該ハンディアンテナを備えた棚卸装置、該棚卸装置を備えた棚卸システム及び棚卸方法を提供することを目的とする。
【課題を解決するための手段】
【００１０】
本発明は、上記目的を達成するために、無線通信に用いられるハンディアンテナであって、前記ハンディアンテナは、アンテナ部と該アンテナ部の縁に設けられた持ち手部とを備え、前記アンテナ部は、薄板状のアンテナ本体と二つの基板部とを備え、前記アンテナ本体は、二つの前記基板部の間で狭着状態に保持されていることを特徴とする。
【００１１】
これによれば、アンテナ本体と基板部との間に隙間がなくなるため、アンテナ部の厚みを薄くすることができる。また、アンテナ本体を基板部に固定するための固定治具などが不要であるため、アンテナ部全体の重量を軽くすることができる。このため使用者は薄型かつ軽量のハンディアンテナを簡単に取り扱うことができ、しかも薄型のハンディアンテナはスタイリッシュな外観を呈することができる。
【００１２】
また、前記基板部は、透明または半透明とされるのが好ましい。これによれば、基板部に挟まれたアンテナ本体が透けて見え、ハンディアンテナがより一層スタイリッシュな外観を呈することができる。
【００１３】
また、前記基板部は、ＰＥＴ樹脂で形成されているのが好ましい。これによれば、ＰＥＴ樹脂が充分な強度を備えしかも安価であるため、充分な強度を備えた基板部を安価に製造することができる。
【００１４】
また、前記基板部は、前記持ち手部に連なる縁部において、前記持ち手部から前記アンテナ本体に向かう方向に延びる突条が形成されているのが好ましい。これによれば、アンテナ本体における持ち手部付近が構造的に補強されるため、使用時における破損を防止することができる。
【００１５】
また、前記アンテナ本体は、前記アンテナ部の中心より前記持ち手部に近い位置に重心を有するのが好ましい。これによれば、アンテナ本体の重心がアンテナ部の中心より持ち手部に近くなるため、ハンディアンテナを取り扱う際に手に生じるモーメントが小さくなって、ハンディアンテナを一層取り扱い易くなり、使用者の負担をさらに軽減することができる。
【００１６】
本発明に係る棚卸装置は、上記のハンディアンテナと、該ハンディアンテナに有線又は無線で接続され、前記ハンディアンテナに読み取り及び／又は書き込み指示を行うリーダライタ装置とを備えたことを特徴とする。これによれば、薄型かつ軽量のハンディアンテナを備えた棚卸装置を提供することができる。
【００１７】
本発明に係る棚卸システムは、上記の棚卸装置と、該棚卸装置のリーダライタ装置と通信可能に接続されたホストコンピュータと、商品に付されたタグとからなり、前記タグに記録されたタグデータを前記ハンディアンテナを介して前記棚卸装置のリーダライタ装置が読み取り及び／又は書き込みし、該リーダライタ装置で読み取ったタグデータを前記ホストコンピュータが蓄積することを特徴とする。これによれば、薄型かつ軽量のハンディアンテナを備えた棚卸システムを提供することができる。また、ハンディアンテナが取り扱い易いため、該棚卸システムを利用したときの作業効率が向上する。さらに、読み取ったタグデータをホストコンピュータが蓄積するため、タグデータを管理することが容易となる。
【００１８】
本発明に係る棚卸方法は、上記の棚卸システムに用いられる棚卸方法であって、タグに記録されたタグデータを請求項７に記載の棚卸装置のリーダライタ装置で読み取り及び／又は書き込みし、該リーダライタ装置で読み取ったタグデータをホストコンピュータが蓄積することを特徴とする。これによれば、薄型かつ軽量のハンディアンテナを用いた棚卸方法を提供することができる。また、ハンディアンテナが取り扱い易いため、棚卸システムを利用したときの作業効率が向上する。さらに、読み取ったタグデータをホストコンピュータが蓄積するため、タグデータを管理することが容易となる。
【発明の効果】
【００１９】
本発明によれば、アンテナ本体と基板部との間に隙間がなくなるため、アンテナ部の厚みを薄くすることができる。また、アンテナ本体を基板部に固定するための固定治具などが不要であるため、アンテナ部全体の重量を軽くすることができる。このため使用者は薄型かつ軽量のハンディアンテナを簡単に取り扱うことができ、しかも薄型のハンディアンテナはスタイリッシュな外観を呈することができる。したがって、ハンディアンテナを例えば商品の棚卸に使用した場合、ハンディアンテナが取り扱い易いため、棚卸装置や棚卸システムを利用したときの作業効率が向上する。その上、読み取ったタグデータをホストコンピュータが蓄積すると、タグデータを管理することが容易となる。
【図面の簡単な説明】
【００２０】
【図１】本発明に係る棚卸システムの全体構成図である。
【図２】ハンディアンテナの（ａ）平面図、（ｂ）正面図である。
【図３】アンテナ部１１のＡ−Ａ線断面矢視図である。
【図４】アンテナ本体の（ａ）平面図、（ｂ）Ｂ−Ｂ線断面矢視図、（ｃ）部分拡大図である。
【図５】基板部の（ａ）Ｃ−Ｃ線断面矢視図、（ｂ）平面図、（ｃ）Ｄ−Ｄ線に断面断面矢視図、（ｄ）Ｅ−Ｅ線断面矢視図である。
【図６】ハンディアンテナの使用状態を示す図である。
【発明を実施するための形態】
【００２１】
＜棚卸システムの全体構成＞
本発明に係る棚卸システム１００は、ハンディアンテナ１及びハンディアンテナ１に有線又は無線で接続されたＲＦＩＤタグリーダライタ２からなる棚卸装置１０と、棚卸装置１０と通信可能に接続されたホストコンピュータ３と、棚卸装置１０により記憶されている情報（タグデータ）の読み書きが可能なＲＦＩＤタグ４とを備える。
【００２２】
まず、ＲＦＩＤリーダライタ２は指示信号をハンディアンテナ１に送信し、ハンディアンテナ１は、この送信された指示信号に基づいてＲＦＩＤタグ４に応答を要求する無線電波を生成する。そして、ハンディアンテナ１は、この生成された無線電波をＲＦＩＤタグ４に向けて送信する。ＲＦＩＤタグ４は、該無線電波を受信し、内部に記憶されているタグデータに基づいて変調された無線電波（以下、応答電波という。）をハンディアンテナ１に向けて送信する。ＲＦＩＤタグリーダライタ２は、ハンディアンテナ１からケーブルを介して伝送される応答電波をタグデータに復調する。ＲＦＩＤタグリーダライタ２は、ホストコンピュータ３へ逐次にまたは蓄積されたタグデータを送る。ホストコンピュータ３は、送られたタグデータに基づいて商品の搬送搬入などの管理を行う。
【００２３】
＜ハンディアンテナ＞
次に、本発明に係るハンディアンテナの一の実施形態について図１〜図６を参照しつつ説明する。
【００２４】
本実施形態に係るハンディアンテナ１は、ＲＦＩＤシステムに用いられるハンディアンテナであって、図２に示すように、アンテナ部１１と該アンテナ部１１に設けられた持ち手部１２とを備える。
【００２５】
アンテナ部１１は、薄板状のアンテナ本体１１１と、該アンテナ本体１１１を挟持する二つの基板部１１２、１１３とを備え、基板部１１２、１１３の周縁には枠１１４が設けられている。
【００２６】
アンテナ本体１１１は、図４に示すように、アンテナ板１１１ａとその周縁部１１１ｃを覆う枠１１１ｂとからなる。アンテナ板１１１ａは、厚さ３．３ｍｍ程度とされ角が落とされた正方形状の板である。枠１１１ｂは、周縁部１１１ｃの上面１１１ｄと、側面１１１ｅと、下面１１１ｆとを円弧状に高さ１．５ｍｍ程度盛り上がって覆っている。
【００２７】
基板部１１２は、図５に示すように、アンテナ本体１１１の片面を覆うことが可能な拡がりをもって形成されており、基板部１１２の先端部と基端部とを結ぶ線（図５におけるＣ−Ｃ線）を軸としてに線対称に延びている。また、この基板部１１２は、肉厚の周縁１１２ａを有し、平面視で左右の側縁が先端部に向かうに従い細くなる形状となった下膨れの形（洋ナシ型）に形成されている。
【００２８】
また、基板部１１２は、中央部に設けられた略正方形の収容部１１２ｃと、収容部１１２ｃの周囲に設けられた当接部１１２ｂとからなる。
【００２９】
収容部１１２ｃは、アンテナ本体１１１を収容するためのものであって、当接部１１２ｂから１．７ｍｍ程度（アンテナ本体１１１の厚みの半分）上方にオフセットされている。また、収容部１１２ｃの周縁部１１２ｄは、図５（ａ）に示すように、アンテナ本体１１１の枠１１１ｂに沿う形状の断面円弧状に形成されている。
【００３０】
また、収容部１１２ｃは、その中心が基板部１１２全体の中心より持ち手部１２側に位置するように設けられている。このため、収納部１１２ｃと基板部１１２の先端部との距離は、収容部１１２ｃと基板部１１２の持ち手１２側の基端部との距離より長くなっている。これにより、収容部１１２ｃに収容されたアンテナ本体１１１の重心がアンテナ部１１の中心より持ち手部１２に近い位置になるため、使用者Ｕの手に加わるモーメントが小さくなり、使用者Ｕの負担を軽減することができる。
【００３１】
また、基板部１１２は、持ち手部１２付近において長さ５０ｍｍ程の突条１１２ｅが設けられている。この突条１１２ｅは、対称軸（図５におけるＣ−Ｃ線）上で持ち手部１２から収容部１１２ｃに向かう方向に延びている。また、この突状１１２ｅは、図５（ｃ）（ｄ）に示すように、基板部１１２自体を湾曲させることにより形成されている。これによれば、アンテナ本体１１における持ち手１２側付近が構造的に補強されるため、使用時における破損を防止することができる。
【００３２】
また、基板部１１２は、材料として、例えば透明または半透明のＰＥＴ（ポリエチレンテレフタレート）樹脂などが好適に使用される。このように基板部１１２がＰＥＴ樹脂製であるため、送受信の際電波障害が生じる虞がなく、また外観の意匠性も高くなる。
【００３３】
なお、基板部１１３は、基板部１１２と同一の部材であり、基板部１１２の上下を反転させたものであるため、同一の符号（アルファベット）を付して、その説明を省略する。
【００３４】
枠部１１４は、図２に示すように、アンテナ部１１を補強するために、アンテナ部１１の周縁に設けられている。枠部１１４は、基板部１２，１３の縁部１１２ａ、１１３ａとを上下から挟み付けている。枠部１１４の上面及び下面には、座繰り穴１１４ａが設けられており、この座繰り穴１１４ａにビスが挿入されることで、枠部１１４がアンテナ部１１に取り付けられている。これによりアンテナ部１１からビスが突き出る虞がなく、被服と被服との隙間に該ハンディアンテナ１を差し入れても、被服を傷付ける虞がなくなる。
【００３５】
而して、アンテナ本体１１１は、図３に示すように、二つの基板部１１２、１１３の間で挟着状態で保持されている。具体的には、基板部１１２（収容部１１２ｃ）の裏面とアンテナ本体１１１の一方の面とが面接触するともに、基板部１１３（収容部１１３ｃ）の裏面とアンテナ本体１１１の他方の面とが面接触している。これにより、基板部１１２（収容部１１２ｃ）、アンテナ本体１１１および基板部１１３（収容部１１３ｃ）がこの順で互いに面接触しながら積層され、アンテナ本体１１１は二つの基板部１１２（収容部１１２ｃ）、１１３（収容部１１３ｃ）の間で挟着状態で保持された構造となる。
【００３６】
このような狭着状態の積層構造とすることにより、アンテナ本体１１１と基板部１１２、１１３との間に隙間がなくなるため、アンテナ部１１全体の厚みを薄くすることができる。また、アンテナ本体１１１を基板部１１２、１１３に固定するための固定治具などが不要であるため、アンテナ部１１全体の重量を軽くすることができる。
【００３７】
また、アンテナ本体１１１を挟着している基板部１１２、１１３の周縁部では、当接部１１２ｂの裏面と当接部１１３ｂの裏面とが互いに面接触している。このため、基板部１２，１３の収容部１１２ｃ、１１３ｃ内に収容されているアンテナ本体１１１の平面方向の移動が規制されている。
【００３８】
持ち手部１２は、図２に示すように、手に持つための筒状の部材であり、一方の端面にアンテナ部１１の縁１１ａが嵌り込む溝１２ａが形成されている。持ち手部１２に形成された溝１２ａには、図２（ｂ）に示すように、アンテナ部１１が嵌め込まれ、ビス止めにより固定される。なお、突条１１２ｅの裏面と突条１１３ｅの裏面とで挟まれた空間と、筒状の持ち手部１２内部の空間とには、アンテナ板１１１ａに接続されたケーブル１ａが通され、ケーブル１ａは後述するリーダライタ２に接続されている。
【００３９】
＜リーダライタ＞
リーダライタ２は、図１に示すように、筺体の内部に本体部２１と駆動バッテリ２２とを備える。本体部２１は、中央演算処理装置である制御部、ハンディアンテナ１に対して制御処理を行うアンテナ制御部、ホストコンピュータと通信を行う外部通信部、ハンディアンテナ１からの電波が正常に発信されているか否かを検出する電波検知用アンテナを有する電波検知部、駆動バッテリと接続されハンディアンテナ１に電力を供給する電源部、この電源部のＯＮ／ＯＦＦを切り替えるための電源スイッチ、および各種のプログラムやデータを記憶する記憶部により構成されている。駆動バッテリ２２は、本体部２１へ駆動電力を供給するためのもので、一次電池および二次電池が適用できる。リーダライタ２の筺体は、ショルダバッグ２３に収納されており、リーダライタ２は、使用の際に、図６に示すようにハンディアンテナ１の使用者Ｕの肩から下げられる。
【００４０】
＜ホストコンピュータ＞
ホストコンピュータ３は、図１に示すように、一般に用いられている汎用コンピュータで、デスクトップ型ＰＣ（パーソナルコンピュータ）、ノート型ＰＣ、又はＰＤＡ（Ｐｅｒｓｏｎａｌ  Ｄｉｇｉｔａｌ  Ａｓｓｉｓｔａｎｃｅ）や携帯電話などの携帯情報端末など、データを確認可能な電子計算機などである。構成的には、制御部、通信部、入力部、表示部および記憶部などを備えている。
【００４１】
＜ＲＦＩＤタグ＞
ＲＦＩＤタグ４は、図１に示すように、ＲＦＩＤシステムの媒体として、電波を用いて非接触で情報の交信ができるタグである。ＲＦＩＤタグ４は、紙やプラスチック等の基材に設けたアンテナパターン４１とＩＣチップからなり、該アンテナパターン４１とＩＣチップに内蔵された容量素子とにより共振回路を形成している。
【００４２】
このＲＦＩＤタグ４には、「非接触ＩＣタグ」、「非接触データキャリア」、「無線ＩＣタグ」、「非接触ＩＣ」、「非接触ＩＣラベル」、「非接触ＩＣカード」、「トランスポンダ」等と、種々の名称で表現される場合もあるので、本発明においては、代表して「ＲＦＩＤタグ」と表現し、前記のように表現されている名称のものも包含するものとする。
【００４３】
ＲＦＩＤタグ４が交信に使用する周波数は、ＵＨＦ−ＳＨＦ帯（８５０〜９５０ＭＨｚと、２．４〜５ＧＨｚ）、ＨＦ帯（１０〜１５ＭＨｚ）、ＬＦ−ＭＦ帯（１００〜５００ＫＨｚ）があり、本発明ではいずれの周波数を用いるＲＦＩＤタグも適用できる。ＵＨＦ−ＳＨＦ帯やＨＦ帯の周波数を用いる電磁誘導方式のＲＦＩＤタグでは、交信距離が長いが価格的に高い。ＬＦ−ＭＦ帯の周波数を用いる静電結合方式のＲＦＩＤタグは、読み取り距離が比較的短いが、ＲＦＩＤタグ、リーダライタを含めてのシステム全体の価格が比較的安価で用途面も広く、本発明には好適に使用することができる。
【００４４】
アンテナパターン４１は、コイル形状で導通部材によりＲＦＩＤタグ基体の裏面でジャンピング回路を形成して、コイル接続素子によりＩＣチップのバンプまたはパッドに接続している。ＲＦＩＤ基体の材料としては、絶縁性材料であれば特に限定されるものではなく、例えばポリエチレンテレフタレート、ポリ塩化ビニル、ポリプロピレン、ポリカーボネイト、ポリエーテルサルフィン、ポリアミド、酢酸セルロースなどのフィルムが適用できる。該フィルムの厚みも、特に限定されるものではなく、１２μｍ〜１００μｍ程度が好適である。また、ＲＦＩＤタグ基体には、機能に影響のない範囲で、着色剤、帯電防止剤、滑剤、安定剤などの添加剤を混入させても良い。
【００４５】
このようなＲＦＩＤタグ４は、ＲＦＩＤタグ基体にラミネートしたアルミ箔や銅箔など金属箔をフォトエッチングやレジスト印刷後のエッチングによりコイル状としてアンテナパターン４１を形成し、ＩＣチップを装着して形成することができる。
【００４６】
＜棚卸方法＞
次に、本発明に係る棚卸システム１００を使用した棚卸方法を説明する。
【００４７】
まず、使用者Ｕは、図６に示すように、リーダライタ２を肩から下げるとともに、ハンディアンテナ１を手に持った上で、商品のＲＦＩＤタグ４付近にハンディアンテナ１をかざすことにより、商品のＲＦＩＤタグ４との間で情報を送受信を行う。
【００４８】
具体的に説明すると、ハンディアンテナ１は、本体部２１のアンテナ制御部からの制御に基づいて、通信範囲に存在するＲＦＩＤタグ４との間で所定の周波数の無線電波を送受信する。つまり、ハンディアンテナ１は、アンテナ制御部から送信された情報や指示信号に基づいてＲＦＩＤタグ４に応答を要求する無線電波を生成してＲＦＩＤタグ４に向けて送信する。
【００４９】
ＲＦＩＤタグ４は、応答要求電波を受信することによって駆動電力を生成し、内部に設けられている集積回路を起動させる。そして内部に記憶されているタグデータに基づいて変調された無線電波（以下、応答電波という。）を送信する。リーダライタ２のアンテナ制御部は、ハンディアンテナ１からケーブル１ａを介して伝送される応答電波をタグデータに復調する。
【００５０】
リーダライタ２は、搬送搬入の管理を行うホストコンピュータ３へ、該ホストコンピュータ３の送受信手段を通じて、逐次または蓄積した管理物品情報を送る。送受信手段としては、端子から有線による方法、電波や赤外線による無線通信による方法が適用できる。この電波による無線通信としては、エリクソン社・ノキア社・ＩＢＭ社・インテル社および東芝社の５社により提唱された２．４５ＧＨｚ帯のマイクロ波を使用する近距離無線通信規格「ブルートゥース」、および５ＧＨｚ帯のマイクロ波なども使用できる。
【００５１】
なお、上記実施形態では、アンテナ本体１１１は、角が落とされた正方形状としたが、これに限られず、三角形状、円形状、八角形状の板であればよい。
【００５２】
また、基板部１１２、１１３は線対称に延びるものとしたが、基板部１１２、１１３は線対称に延びたものでなくてもよい。また、基板部１１３は、基板部１１２と同一の部材としたが、同一でなくてもよい。
【００５３】
また、基板部１１２、１１３は、アンテナ本体１１１に直接的に面接触するものとしたが、アンテナ本体１１１との間にシート状または板状の部材を介して面接触してもよい。
【００５４】
また、基板部１１２、１１３は、ビス止めにより収容を固定されるものとしたが、接着などのその他の方法で固定されてもよい。
【００５５】
また、基板部１１２、１１３は、ＰＥＴ樹脂としたが、ガラス、透明シリコンなどのその他の材料であってもよい。
【００５６】
また、基板部１１２、１１３の当接部１１２ｂ、１１３ｂは必ずしも互いに面接触していてなくてもよく、当接部１１２ｂ、１１３ｂの間に隙間が設けられてもよい。
【００５７】
また、収納部１１２ｃの中心は、基板部１１２の中心より持ち手１２側の縁部１１２ｆに寄っているものとしたが、これに限られない。
【００５８】
また、突条１１２ｅは、基板部１１２を湾曲させて形成されているが、これに限られず、例えば、基板部１１２に取り付けられたリブであってもよい。また、突条１１２ｅは、形成されていなくてもよい。
【００５９】
また、持ち手部１２は、筒状の部材とされているが、中空のものに限られない。持ち手部１２は、横断面の輪郭が円形、四角形、八角形であるなどの手になじむ形状であればよい。
【００６０】
また、ハンディアンテナ１は、ＲＦＩＤシステムに用いられるものに限られず、その他の方式の無線通信に用いられるものであってもよい。
【００６１】
また、ハンディアンテナ１は、商品の棚卸システムに用いるものとしたが、その他の用途のシステムや装置に用いられてもよい。
【００６２】
以上、図面を参照して本発明の実施形態を説明したが、本発明は、図示した実施形態のものに限定されない。図示された実施形態に対して、本発明と同一の範囲内において、あるいは均等の範囲内において、種々の修正や変形を加えることが可能である。
【符号の説明】
【００６３】
１…ハンディアンテナ
１１…アンテナ部
１１１…アンテナ本体
１１２、１１３…基板部
１１２ａ…縁部
１１２ｂ…当接部
１１２ｃ…収容部
１１２ｄ…周縁部
１１２ｅ…突条
１１４…枠部
１２…持ち手部
２…リーダライタ
３…ホストコンピュータ
４…ＲＦＩＤタグ
１０…棚卸装置
１００…棚卸システム
【図１】
2015023457.tif 000003
【図２】
2015023457.tif 000004
【図３】
2015023457.tif 000005
【図４】
2015023457.tif 000006
【図５】
2015023457.tif 000007
【図６】
2015023457.tif 000008